【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
装置本体と、
前記装置本体の側面に形成された開口部と、
前記開口部を閉塞した状態の閉位置と、前記開口部を開放した状態の開位置と、の間で下部に設けられた回転軸を中心に回動可能に設けられたカバーと、
前記装置本体の内部に前記開口部を介して着脱可能に設けられ、トナー像が転写される中間転写ベルトを有する中間転写ユニットと、
前記カバーに対して移動可能に支持され、前記中間転写ベルトに転写されたトナー像を記録材に転写する転写部材を有する二次転写ユニットと、
前記装置本体に設けられ、前記中間転写ユニットを案内可能な案内部であって、前記中間転写ユニットを、前記装置本体から取り外し可能にする第１位置から前記装置本体に装着される第２位置に案内し、前記第１位置に位置する前記中間転写ユニットを支持する前記案内部と、
前記二次転写ユニットに設けられた第１係合部と、
前記カバーに設けられ、前記第１係合部に係合可能であり、前記第１係合部に係合することにより、前記二次転写ユニットの前記カバーに対する移動を所定範囲に制限する第２係合部と、を備え、
前記カバーが前記閉位置及び前記開位置の間の中間位置から前記開位置に移動するときに、前記二次転写ユニットの前記カバーに対する相対位置が、前記二次転写ユニットの自重によって第１相対位置から第２相対位置に変位し、
前記カバーが前記開位置に位置し、前記中間転写ユニットが前記案内部により前記第１位置に支持されるときに、前記二次転写ユニットは、前記第１相対位置に位置する場合は前記中間転写ユニットと干渉し、前記第２相対位置に位置する場合は前記中間転写ユニットと干渉しない、
ことを特徴とする画像形成装置。
【請求項２】
前記二次転写ユニットと前記カバーとの間に設けられ、前記二次転写ユニットを付勢する付勢部を備え、
前記カバーが前記開位置に位置するときは、前記二次転写ユニットの前記カバーに対する相対位置は、前記二次転写ユニットの自重と前記付勢部の付勢力との合力によって前記第２相対位置に位置し、
前記カバーが前記中間位置に位置するときは、前記二次転写ユニットの前記カバーに対する相対位置は、前記二次転写ユニットの自重と前記付勢部の付勢力との合力によって前記第１相対位置に位置する、
ことを特徴とする請求項１に記載の画像形成装置。
【請求項３】
前記二次転写ユニットに設けられた被ガイド部と、
前記カバーに設けられ、前記二次転写ユニットの自重により前記被ガイド部を案内するガイド部と、を備え、
前記ガイド部は、
前記カバーが前記中間位置に位置するときに、前記二次転写ユニットの前記カバーに対する前記相対位置を前記第１相対位置に位置させるように、前記被ガイド部を案内する第１ガイド部分と、
前記第１ガイド部分に連続して設けられ、前記カバーが前記開位置に位置するときに、前記二次転写ユニットの前記カバーに対する前記相対位置を前記第２相対位置に位置させるように、前記被ガイド部を案内する第２ガイド部分と、を有する、
ことを特徴とする請求項１又は２に記載の画像形成装置。
【請求項４】
前記装置本体に設けられた第３係合部と、
前記第３係合部に係合するように前記二次転写ユニットの下部に設けられた第４係合部と、を備え、
前記第４係合部は、前記カバーが閉じられているときに、前記第３係合部に係合し、前記二次転写ユニットを回転可能に支持し、前記カバーが開かれているときに、前記第３係合部から離間する、
ことを特徴とする請求項１乃至３のいずれか１項に記載の画像形成装置。
【請求項５】
前記二次転写ユニットに作用する力の合力は、
前記カバーが前記中間位置に位置するときは、前記装置本体側を向いた下方を指向し、
前記カバーが前記開位置に位置するときは、前記装置本体とは反対側を向いた下方を指向する、
ことを特徴とする請求項１乃至４のいずれか１項に記載の画像形成装置。
【請求項６】
前記装置本体の外部に設けられた給送装置を備え、
前記給送装置は、前記装置本体の前記カバーが設けられた前記側面に対向して配置され、前記装置本体に前記記録材を供給し、
前記回転軸は、前記給送装置の上面より上方に配置されている、
ことを特徴とする請求項１乃至５のいずれか１項に記載の画像形成装置。
【請求項７】
装置本体と、
前記装置本体の側面に形成された開口部と、
前記開口部を閉塞した状態の閉位置と、前記開口部を開放した状態の開位置と、の間で下部に設けられた回転軸を中心に回動可能に設けられたカバーと、
前記装置本体の内部に前記開口部を介して着脱可能に設けられ、トナー像が転写される中間転写ベルトを有する中間転写ユニットと、
前記カバーに対して移動可能に支持され、前記中間転写ベルトに転写されたトナー像を記録材に転写する転写部材を有する二次転写ユニットと、
前記装置本体の外部に設けられ、前記装置本体の前記カバーが設けられた側面に対向して配置され、前記装置本体に前記記録材を供給する給送装置と、
前記二次転写ユニットに設けられた第１係合部と、
前記カバーに設けられ、前記第１係合部に係合可能であり、前記第１係合部に係合することにより、前記二次転写ユニットの前記カバーに対する移動を所定範囲に制限する第２係合部と、を備え、
前記回転軸は、前記給送装置の上面より上方に配置され、
前記給送装置が、前記装置本体に前記記録材を給送する給送位置に配置されたときに、前記カバーは前記開位置に移動可能であり、
前記カバーが前記閉位置及び前記開位置の間の中間位置から前記開位置に移動するときに、前記二次転写ユニットの前記カバーに対する相対位置が、前記二次転写ユニットの自重によって第１相対位置から第２相対位置に変位し、
前記カバーが前記開位置に位置するときは、前記相対位置が前記第１相対位置である場合の前記二次転写ユニットの高さは第１高さであり、前記相対位置が前記第２相対位置である場合の前記二次転写ユニットの高さは前記第１高さより低い第２高さであり、
前記中間転写ユニットは、前記開位置に位置する前記カバーに対して着脱可能である、
ことを特徴とする画像形成装置。
【手続補正２】
【補正対象書類名】明細書
【補正対象項目名】０００７
【補正方法】変更
【補正の内容】
【０００７】
本発明の画像形成装置は、装置本体と、前記装置本体の側面に形成された開口部と、前記開口部を閉塞した状態の閉位置と、前記開口部を開放した状態の開位置と、の間で下部に設けられた回転軸を中心に回動可能に設けられたカバーと、前記装置本体の内部に前記開口部を介して着脱可能に設けられ、トナー像が転写される中間転写ベルトを有する中間転写ユニットと、前記カバーに対して移動可能に支持され、前記中間転写ベルトに転写されたトナー像を記録材に転写する転写部材を有する二次転写ユニットと、前記装置本体に設けられ、前記中間転写ユニットを案内可能な案内部であって、前記中間転写ユニットを、前記装置本体から取り外し可能にする第１位置から前記装置本体に装着される第２位置に案内し、前記第１位置に位置する前記中間転写ユニットを支持する前記案内部と、前記二次転写ユニットに設けられた第１係合部と、前記カバーに設けられ、前記第１係合部に係合可能であり、前記第１係合部に係合することにより、前記二次転写ユニットの前記カバーに対する移動を所定範囲に制限する第２係合部と、を備え、前記カバーが前記閉位置及び前記開位置の間の中間位置から前記開位置に移動するときに、前記二次転写ユニットの前記カバーに対する相対位置が、前記二次転写ユニットの自重によって第１相対位置から第２相対位置に変位し、前記カバーが前記開位置に位置し、前記中間転写ユニットが前記案内部により前記第１位置に支持されるときに、前記二次転写ユニットは、前記第１相対位置に位置する場合は前記中間転写ユニットと干渉し、前記第２相対位置に位置する場合は前記中間転写ユニットと干渉しないことを特徴とする。
また、本発明の画像形成装置は、装置本体と、前記装置本体の側面に形成された開口部と、前記開口部を閉塞した状態の閉位置と、前記開口部を開放した状態の開位置と、の間で下部に設けられた回転軸を中心に回動可能に設けられたカバーと、前記装置本体の内部に前記開口部を介して着脱可能に設けられ、トナー像が転写される中間転写ベルトを有する中間転写ユニットと、前記カバーに対して移動可能に支持され、前記中間転写ベルトに転写されたトナー像を記録材に転写する転写部材を有する二次転写ユニットと、前記装置本体の外部に設けられ、前記装置本体の前記カバーが設けられた側面に対向して配置され、前記装置本体に前記記録材を供給する給送装置と、前記二次転写ユニットに設けられた第１係合部と、前記カバーに設けられ、前記第１係合部に係合可能であり、前記第１係合部に係合することにより、前記二次転写ユニットの前記カバーに対する移動を所定範囲に制限する第２係合部と、を備え、前記回転軸は、前記給送装置の上面より上方に配置され、前記給送装置が、前記装置本体に前記記録材を給送する給送位置に配置されたときに、前記カバーは前記開位置に移動可能であり、前記カバーが前記閉位置及び前記開位置の間の中間位置から前記開位置に移動するときに、前記二次転写ユニットの前記カバーに対する相対位置が、前記二次転写ユニットの自重によって第１相対位置から第２相対位置に変位し、前記カバーが前記開位置に位置するときは、前記相対位置が前記第１相対位置である場合の前記二次転写ユニットの高さは第１高さであり、前記相対位置が前記第２相対位置である場合の前記二次転写ユニットの高さは前記第１高さより低い第２高さであり、前記中間転写ユニットは、前記開位置に位置する前記カバーに対して着脱可能であることを特徴とする。